(57)【要約】      （修正有）【課題】高いシールド性能を得た上で、差し込みによって、接続相手のコネクタの筐体とシールド部とを導電接続させてインピーダンス整合をとることができる、差込端付フレキシブルプリント配線板等を提供する。【解決手段】差込端付フレキシブルプリント配線板１０は、コネクタに差し込むための差込端Ｋを備え、ベース絶縁層１および信号線３ｃを備え、差込端Ｋにおいて、ベース絶縁層１の、おもて面に信号線３ｃ、３１，３５、かつ裏面にグランド部３ｇ、３１，３５、が露出している。【選択図】図２
2011159880.tif 000002
【特許請求の範囲】
【請求項１】
コネクタに差し込むための差込端を備える差込端付フレキシブルプリント配線板であって、
ベース絶縁層および信号線を備え、
前記差込端において、前記ベース絶縁層の、おもて面に前記信号線、かつ裏面にグランド部が露出していることを特徴とする、差込端付フレキシブルプリント配線板。
【請求項２】
前記グランド部は、前記ベース絶縁層の裏面におけるグランドパターンからなるか、または前記グランドパターンと該グランドパターンに導電性接着剤で積層された金属板とから形成される、ことを特徴とする、請求項１に記載の差込端付フレキシブルプリント配線板。
【請求項３】
前記信号線および前記グランドパターンのうち、少なくとも信号線が金めっきされていることを特徴とする、請求項２に記載の差込端付フレキシブルプリント配線板。
【請求項４】
シールド導電層を備え、前記グランド部は、該シールド導電層と導電接続していることを特徴とする、請求項１〜３のいずれか１項に記載の差込端付フレキシブルプリント配線板。
【請求項５】
フレキシブルプリント配線板とコネクタとの接続構造であって、
前記フレキシブルプリント配線板の端に差込端が設けられ、その差込端において、ベース絶縁層のおもて面側に信号線が、かつ裏面側にグランド部が、位置し、
前記コネクタは、矩形断面の筒状または袋状の受け口を備え、その受け口は、接続端子が配置された本体部と、その本体部に取り付けられる導電性の筐体とで構成され、
前記差込端を前記受け口に差し込んだ状態において、前記信号線は前記接続端子に、また前記グランド部は前記筐体に、導電接触することを特徴とする、フレキシブルプリント配線板の接続構造。
【請求項６】
請求項１〜４のいずれか１項に記載の差込端付フレキシブルプリント配線板、または請求項５に記載のフレキシブルプリント配線板の接続構造を用いたことを特徴とする、電子機器。
【発明の詳細な説明】
【技術分野】
【０００１】
本発明は、差込端付フレキシブルプリント配線板、フレキシブルプリント配線板の接続構造、および電子機器に関し、より具体的には、高いシールド性能を得た上で、差し込みによって、接続相手のコネクタにおける筐体と、シールド部とを導電接続することができる差込端付フレキシブルプリント配線板、フレキシブルプリント配線板の接続構造、および電子機器に関するものである。
【背景技術】
【０００２】
高周波信号、デジタル信号を扱う電子機器におけるノイズ防止やクロストーク防止のために、静電シールド、磁気シールド、電磁シールドなどの対策がとられる。フレキシブルプリント配線板においても、クロストークおよび電磁波雑音放射を共に防止するために、シールド層を構成する金属薄膜と、グランド配線とを導電性ペーストで接続する構造が提案されている（特許文献１）。
また、回路付サスペンション基板の端子についてインピーダンス整合をとるために、端子部のキャパシタンスを減少させるべく、配線部から延在する誘電体に対して開口部を端子部で設ける構造が提案されている（特許文献２）。
【先行技術文献】
【特許文献】
【０００３】
【特許文献１】特開平７−２８３５７９号公報
【特許文献１】特開２００４−３６３２０５号公報
【発明の概要】
【発明が解決しようとする課題】
【０００４】
上記のフレキシブルプリント配線板によれば、磁気ヘッドを搭載するサスペンション基板等とはインピーダンス整合をとりながら接続することはできる。しかし、差し込みによって接続をとるコネクタとは、シールド部を相手の筐体に導電接続しながらインピーダンス整合をとることは不可能である。
本発明は、高いシールド性能を得た上で、差し込みによって、接続相手のコネクタの筐体とシールド部とを導電接続させてインピーダンス整合をとることができる、差込端付フレキシブルプリント配線板、フレキシブルプリント配線板の接続構造、および電子機器を提供することを目的とする。
【課題を解決するための手段】
【０００５】
本発明の差込端付フレキシブルプリント配線板は、コネクタに差し込むための差込端を備える。この差込端付フレキシブルプリント配線板は、ベース絶縁層および信号線を備え、差込端において、ベース絶縁層の、おもて面に信号線、かつ裏面にグランド部、が露出していることを特徴とする。
【０００６】
上記の構成によって、フレキシブルプリント配線板の差込端をコネクタに差し込むことによって、フレキシブルプリント配線板のグランド部を、コネクタでのグランド部を構成する筐体にアースすることができ、インピーダンス整合を好適にとることができる。この差し込みの際、おもて面の信号線は、当然、コネクタ側の対応する信号線と導電接続する。上記のコネクタは、フレキシブルプリント配線板の信号線と導電接続する導電端子を有し、筐体がグランド部となることを前提とする。
【０００７】
グランド部は、ベース絶縁層の裏面におけるグランドパターンからなるか、またはグランドパターンと該グランドパターンに導電性接着剤で積層された金属板とから形成される、構成をとることができる。これによって、視認しながらヒトの指を用いての差し込みのし易さ等を考慮して、コネクタの受け口の大きさ等を決め、それに応じて、フレキシブルプリント配線板の差込端の厚み、したがってグランドパターンのままか、厚みを増す金属板を積層するか、選択することができる。別の因子として、差し込み頻度および耐久性（摩耗、変形など）を考慮して、強度的に優れる金属板の積層を選択することができる。ここで、グランド部は、どのような形態でもよい。  
【０００８】
信号線およびグランドパターンのうち、少なくとも信号線が金めっきされているようにできる。これによって、おもて面での露出が必須である信号線について、表面性状を導電接触に良好な状態に保つことができる。すなわち、金めっき層によって酸化層などの生成を防ぎ、導電接触しやすい状態を維持することができる。また、腐食による強度的な劣化も防止することができる。また、裏面においてグランドパターンが露出する場合、信号線と同様のことがいえる。ただし、金属板を積層する場合、金属板が露出面を構成するので、金めっき層はあってもよいが、なくても耐食性等が劣化することはない。
【０００９】
シールド導電層を備え、グランド部は、該シールド導電層と導電接続している構成をとることができる。これによって、シールド導電層と、コネクタでのグランド部を構成する筐体とを導電接続することができ、インピーダンス整合を好適にとることができる。この場合、グランド部はシールド導電層と導電接続している。またグランドパターンは、シールド導電層と導電接続している、ベース絶縁層に張られた銅箔、ベース絶縁層上に形成された導電層をパターン化したもの、または、これらにめっき層がめっきされたもの、などをさす。
【００１０】
本発明のフレキシブルプリント配線板の接続構造は、フレキシブルプリント配線板とコネクタとの接続構造である。この接続構造では、フレキシブルプリント配線板に差込端が設けられ、その差込端において、ベース絶縁層のおもて面側に信号線が、かつ裏面側にグランド部が、位置し、コネクタは、矩形断面の筒状または袋状の受け口を備え、その受け口は、接続端子が配置された本体部と、その本体部に取り付けられる導電性の筐体とで構成され、差込端を受け口に差し込んだ状態において、信号線は接続端子に、グランド部は筐体に、導電接触することを特徴とする。
【００１１】
上記の構成によって、フレキシブルプリント配線板ではシールド導電層によって電磁ノイズやクロストークを防止しながら、そのシールド導電層に導電接続するグランド部を、コネクタへの差し込みによってそのコネクタのグランド部である筐体にスムースに導電接続することができる。この結果、フレキシブルプリント配線板とコネクタとのインピーダンス整合を好適にとることができる。コネクタについては、高速シリアル伝送回路の全てのコネクタに適用できる。たとえばＨＤＭＩ（High-Definition  Multimedia  Interface）、ＳＡＴＡ(Serial  Advanced  Technology  Attachment)、ＩＥＥＥ(アイトリプルイー)などのコネクタに適用可能である。一例を挙げれば、ＵＳＢ１．１やＵＳＢ３．０などのコネクタがあるが、言うまでもなくこれに限定されない。
【００１２】
本発明の電子機器は、上記のいずれかの差込端付フレキシブルプリント配線板またはいずれかのフレキシブルプリント配線板の接続構造を用いたことを特徴とする。これによって、フレキシブルプリント配線板のグランド部と、コネクタでの筐体とを導電接続することができ、インピーダンス整合を好適にとることができる。この場合、電子機器は何でもよく、高速シリアル伝送回路の全てに適用することができる。たとえば、ＨＤＭＩ、ＳＡＴＡ、ＩＥＥＥなどに用いることができる。さらに具体的な例を挙げれば、たとえばマウス、キーボード、外付け記録装置、プリンタ、携帯機器の充電装置、ＨＤカメラ、フラッシュメモリを含む携帯機器、ＳＳＤ、Ｗｅｂカメラ等を挙げることができる。  
【発明の効果】
【００１３】
本発明によれば、高いシールド性能を得た上で、差し込みによって、接続相手のコネクタの筐体とシールド部とを導電接続させてインピーダンス整合をとることができる、差込端付フレキシブルプリント配線板等を得ることができる。
【図面の簡単な説明】
【００１４】
【図１】本発明の実施の形態１における差込端付フレキシブルプリント配線板を、コネクタに差し込む状況を説明するための斜視図である。
【図２】図１の差込端付フレキシブルプリント配線板の差込端を示し、（ａ）は差込端付近の平面図（おもて面）、（ｂ）は（ａ）におけるＩＩＢ−ＩＩＢ線に沿う断面図である。
【図３】図１の差込端付フレキシブルプリント配線板の本体の幅端部における断面図である。
【図４】本発明の実施の形態２における差込端付フレキシブルプリント配線板の差込端付近の縦断面図である。
【発明を実施するための形態】
【００１５】
（実施の形態１）
図１は、本発明の実施の形態１における差込端付フレキシブルプリント配線板１０の差込端Ｋを、コネクタ５０に差し込む状況を示す斜視図である。コネクタ５０は、信号線に導電接続する端子部５１ｃを含む本体５１と、金属製の筐体５２とに分離して表示してあり、実際は、本体５１と筐体５２とは結合して、袋状の受け口を形成する。フレキシブルプリント配線板１０の差込端Ｋは、その受け口に差し込まれる。図１において、フレキシブルプリント配線板１０の差込端Ｋでは、裏面に露出する金属板３７が示されている。信号線は、おもて面にあり、図１では見えない。金属板３７は、このあと説明するように、フレキシブルプリント配線板１０のシールド導電層に導電接続されている。金属板３７は、差し込みによって、コネクタ５０の接地電位に保持された筐体５２に導電接触して、インピーダンス整合をとりやすくする。
ここで、上記のコネクタが用いられる電子機器は何でもよく、高速シリアル伝送回路の全てに適用することができる。たとえば、ＨＤＭＩ、ＳＡＴＡ、ＩＥＥＥなどに用いることができる。さらに具体的な例を挙げれば、たとえばマウス、キーボード、外付け記録装置、プリンタ、携帯機器の充電装置、ＨＤカメラ、フラッシュメモリを含む携帯機器、ＳＳＤ、Ｗｅｂカメラ等を挙げることができる。上記のように、ＵＳＢコネクタには限定されない。
【００１６】
図２は、本発明の実施の形態における差込端付フレキシブルプリント配線板１０を示し、（ａ）は差込端Ｋ付近の平面図であり、（ｂ）は、（ａ）におけるＩＩＢ−ＩＩＢ線に沿う断面図である。
図２（ａ）において、カバーレイ５およびその接着剤層４は、もともと差込端Ｋに積層されていないが、本体部Ｈでは実際は積層されているが省略されている。信号線３ｃは、図２（ａ）に示すように、線のパターンとされ、各信号線３ｃに電気信号が流される。おもて面では、信号線３ｃごとにスルーホールめっき層３１と、その上の金めっき層３５とが積層されている。ベース絶縁層１の裏面には、銅箔がグランド層３ｇを形成し、そのグランド層３ｇ上に、スルーホールめっき層３１と金めっき層３５とがそのグランド層３ｇ上に積層されている。本実施の形態では、グランド層３ｇ（３１，３５）に金属板３７が導電接着剤３６で積層されている点に特徴を有する。すなわち差込端Ｋではベース絶縁層１の裏面側に、グランド層３ｇに導電接続された金属板３７が露出する。差込端Ｋは、差し込みの際、図１に示すように、コネクタ５０の受け口にスムースに差し込まれ、差込端Ｋの裏面の金属板３７は、やはりスムースにコネクタ５０の筐体５２に導電接続される。
【００１７】
図３は、上記のフレキシブルプリント配線板１０の本体部Ｈにおける幅の端部分の断面図である。図２に示すように、シールド導電部Ｓ（８，９）は開口部１５においておもて面に位置するグランドパターン３ｇ，３１，３５に導電接続される。そして、おもて面のグランドパターン３ｇ，３１，３５は、スルーホール１ｈの壁面を伝って裏面のグランドパターン３ｇ、３１，３５に導通する。この裏面のグランドパターン３ｇ，３１，３５は、差込端Ｋにおけるグランドパターンへと延在する。
【００１８】
上記のコネクタ５０における接続構造は、次のようにまとめられる。
（接地側）：コネクタの筐体５２／／フレキシブルプリント配線板の金属板３７／グランドパターン３ｇ，３１，３５／シールド導電層Ｓ（８，９）
（信号線）：コネクタの端子部５１ｃ／／フレキシブルプリント配線板の信号線３ｃ
上記の構造によれば、フレキシブルプリント配線板１０の本体Ｈでは、シールド導電層Ｓによって、電磁波の放射や侵入およびクロストーク、を防止しながら、コネクタ５０に差込端Ｋを差し込むことで、簡単に、コネクタの筐体５２とフレキシブルプリント配線板１０のグランド電位を共通にすることができる。この結果、フレキシブルプリント配線板１０とコネクタ５０とのインピーダンス整合を容易にとることができる。
【００１９】
また金属板３７を配置することで、フレキシブルプリント配線板１０の差込端Ｋの厚みを大きくできるので、視認しながらヒトの指を用いての差し込みのし易さ、および、その他の理由、をも考慮して、コネクタ５０の受け口の厚みを大きくすることができる。また、金属板３７を用いることで、差し込みおよび引き抜き等の繰り返しに起因する摩耗、変形、腐食などに対して、耐久性を向上させることができる。
【００２０】
（実施の形態２）
図４は、本発明の実施の形態における差込端付フレキシブルプリント配線板１０の差込端Ｋ付近の縦断面図である。実施の形態１の図２（ｂ）に対応する部分の断面図である。実施の形態１では、ベース絶縁層１の裏面に位置する、銅箔等のグランドパターン３ｇ，３１，３５に導電性接着剤３６によって金属板３７が積層されていた。本実施の形態では、金属板３７を積層することなく、銅箔等のグランドパターン３ｇ、３１，３５をそのまま露出させておく。したがって、図１に示すようなコネクタ５０への差し込みにおいて、このグランドパターン３ｇ、３１，３５が、コネクタ５０の筐体５２に導電接触することになる。フレキシブルプリント配線板１０およびコネクタ５０のグランド部どうしが導電接触することになる。また、フレキシブルプリント配線板１０のおもて側の信号線３ｃ，３１，３５が、コネクタの接続端子に導電接触することは、差し込みの前提である。
【００２１】
本実施の形態では、差込端Ｋの裏面に金属板を配置せずに、グランドパターン３ｇ，３１，３５のままにした点が、実施の形態１と相違するだけであり、その他の点では実施の形態１と共通する。本実施の形態によっても、フレキシブルプリント配線板１０の本体Ｈでは、シールド導電層Ｓによって、電磁波の放射や侵入およびクロストーク、を防止しながら、コネクタ５０に差込端Ｋを差し込むことで、簡単に、コネクタの筐体５２とフレキシブルプリント配線板１０のグランド電位を共通にすることができる。この結果、フレキシブルプリント配線板１０とコネクタ５０とのインピーダンス整合を容易にとることができる。
【００２２】
本実施の形態のように、グランドパターン３ｇ，３１，３５を差込端Ｋの裏面に露出させる場合、スルーホールめっき層３１および金めっき層３５は、酸化防止など耐食性の向上、強度補強（変形防止）など、耐久性の向上に有効に作用する。とくに金めっき層３５は酸化防止などの耐食性向上に有効であり、コネクタとの導電接触不良を防止することができる。
【００２３】
上記において、本発明の実施の形態および実施例について説明を行ったが、上記に開示された本発明の実施の形態および実施例は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含むものである。
【産業上の利用可能性】
【００２４】
本発明の差込端付フレキシブルプリント配線板によれば、差込端の裏面にグランド部を露出させることで、本体部で高いシールド性能を得た上で、差し込みによって、接続相手のコネクタの筐体とグランド部とを導電接触させてインピーダンス整合を容易にとることができる。
【符号の説明】
【００２５】
１  ベース絶縁層、１ｈ  スルーホール、３ｃ  配線（銅箔）、３ｇ  グランドパターン（銅箔）、４  絶縁接着層、５  カバーレイ、８  導電接着層、９  シールドフィルム、１０  差込端付フレキシブルプリント配線板、１５  開口部、３１  スルーホールめっき層、３５  金めっき層、３６  導電性接着剤、３７  金属板、５０  コネクタ、５１  コネクタ本体、５１ｃ  導電端子、５２  コネクタ金属筐体、Ｈ  フレキシブルプリント配線板の本体、Ｋ  差込端、Ｓ  シールド部。
【図１】
2011159880.tif 000003
【図２】
2011159880.tif 000004
【図３】
2011159880.tif 000005
【図４】
2011159880.tif 000006